(57)【要約】【課題】日本古来の仏足跡歌，短歌，甚句，施頭歌等の幾種類かを、同じ盤上で共用，競作できる闘歌句遊戯具を提供する事。【解決手段】大略平坦な基盤と、該基盤上に配列された文字枠群と、日本語全字母仮名を記した文字駒から成る文字駒群で構成される闘歌句遊戯盤に於いて、略直線状の辺枠列，翼枠列，中央枠列から成り，該基盤の中央部に辺枠列を対形で突合わす様に四辺枠列で大略四角形を構成し，該四角形の略対角線上に角枠の一枠部を構成する形で，内外側に張出して四翼枠列を中央部に―（又は｜）形に一中央枠列を配置した文字枠列群構成の配列形体で，有効総文字枠数が最大５９個とし、日本語全字母仮名５１＋任意の８文字の文字駒群の内から適宜数決択して、仏足跡歌，甚句，短歌，酒折問答歌を夫々に，仏足跡歌と短歌をも対向して競技できる配列形体で構成される歌句創作用具あるいは闘歌句遊戯盤。【選択図】図１
2007209423.tif 000002
【特許請求の範囲】
【請求項１】
大略平坦な基盤（１）と、該基盤上に配列された任意所定形状の文字枠（２）から成る文
字枠群と、日本語全字母（平，片仮名・ローマ字等）を夫々に記した文字駒（３）から成
る文字駒群、で構成される闘歌句創作遊戯盤に於いて、
（Ａ）  略直線状の辺枠列（４），翼枠列（５），中央枠列（６）から成り、該基盤の中
央部に辺枠列を対形（〓）で突き合わす様に四辺枠列で大略四角形を構成し，其の四角形
の略対角線上に角枠の一（コーナー）部分を構成する形で，内外側に張り出して四翼枠列
を配置、中央部分に―（又は｜）形に一中央枠列を配置した文字枠列群構成の配列形体（
及び形態）で、有効総文字枠数が５７〜５９個とし、
（Ｂ）  文字駒群として、
（ａ）  日本語字母（平，片仮名・ローマ字等）中の少なくとも４８個の異なる文字駒群
＋任意の９文字駒
（ｂ）  日本語字母（平，片仮名・ローマ字等）５１個＋任意の６文字駒（または空駒）
（ｃ）  日本語字母（平，片仮名・ローマ字等）５１個＋「う゛」＋任意の５文字駒（ま
たは空駒）
（ｄ）  日本語字母（平，片仮名・ローマ字等）５１個＋「う゛」＋一列（あ，い，う，
え，お、等）の５文字駒、
のいずれかを選択して仏足跡歌と仏足跡歌（５，７，５，７，７，７形式）を対向して競
技できる配列形体（及び形態）で構成される歌句創作用具あるいは闘歌句遊戯盤。
【請求項２】
大略平坦な基盤（１）と、該基盤上に配列された任意所定形状の文字枠（２）から成る文
字枠群と、日本語全字母（平，片仮名・ローマ字等）を夫々に記した文字駒（３）から成
る文字駒群、で構成される闘歌句創作遊戯盤に於いて、
（Ａ）略直線状の辺枠列（４），翼枠列（５），中央枠列（６）から成り、該基盤の中央
部に辺枠列を対形（〓）で突き合わす様に四辺枠列で大略四角形を構成し，其の四角形の
略対角線上に角枠の一（コーナー）部分を構成する形で，内外側に張出して四翼枠列を配
置、中央部分に―（又は｜）形に一中央句枠列を配置した文字枠列群構成の配列形体（及
び形態）で、有効総文字枠数が５１〜５９個とし、
（Ｂ）文字駒群として、日本語字母（平，片仮名・ローマ字等）５１個または該５１個＋
「う゛」（＝５２個）を選択し、仏足跡歌（５，７，５，７，７，７）と短歌（５，７，
５，７，７）、あるいは甚句と甚句（７，７，７，５）を、対向して競技できる配列形体
（及び形態）で構成される歌句創作用具あるいは闘歌句遊戯盤。
【請求項３】
該同基盤上で、文字駒群として，全字母駒群から（ゐ≒い，ゑ≒え，お≒を、と看做して
）異なる音声の４５文字を選択し、短歌と短歌を個別に（および同時に酒折問答歌（５，
７，７）の夫々を）対向して競える構成を含む配列形体（及び形態）で構成される請求項
２記載の歌句創作用具あるいは闘歌句遊戯盤。
【発明の詳細な説明】
【技術分野】
【０００１】
本発明は各人の感懐や情景を俳句（川柳），短歌又は甚句，施頭歌形式表現等、更に仏
足跡歌により創作を競い合う娯楽遊戯具あるいは歌句創作表示用具、もしくは知的能力や
語い力、又は表現における柔軟性を培う語学用補助器具の構成形態に関するものである。
【背景技術】
【０００２】
従来の娯楽用具としては、カルタ、花札、囲碁、将棋、麻雀等幾人かで楽しむ物、此れ
らをゲームソフト化した物などが在り、知的能力や語学能力、柔軟性を培う補助具として
は、各種学習テキストあるいはコンピュータで活用するソフトウェアシステム等が有る。
従来の娯楽器具では、所定のルールで取得した数の多さや地の広さ、特定物を手に入れ
る手順の変化や時間の先後または多少を、所持知識や技、熟練度の巧拙で、単なるゲーム
として競うのが一般的であり、人意情景表現・其の物の創作を競い合う闘歌句用娯楽用具
，創作道具はほとんど見られない。  知的育成補助器具においては、設定（固定化）され
たパターンの繰り返しによる記憶上達が主体であり、難易度に急激，多大な変化を付けな
いのが普通で、即事または即時的に他からの影響を受けることは避けるのが普通である。
【０００３】
作品応募競技でも各自が異なる環境や位置付けで創作した物を評議や衆議（〜判・〜評
）するもので、創作用具や娯楽遊戯具は見掛けなかったし、最近では携帯（電話での応募
）短歌とか俳句も盛んと聞くが、其れとて、俳句や短歌などを個別に（異なる環境や状況
で）創作し競う評議形式では有っても、人意情景表現・其の物を他の競技者と（同じ画な
どの歌句題を見て）相互に，即事または即時的に構築し、評価や勝敗は参画者や競技者の
思議や諮議で，判定で，することができる、且つ競技者が相互に関係付けし，され乍ら、
複数競技者で其れ等を競おうとする物（道具，用具または要具）は此れ又皆無に近かった
。此れを具体化した歌句創作遊戯具として、本発明と関わる，本出願人の先行出願の公開
公報には下記のものがある。
【特許文献１】特開平０７−２８４５５１号  公報
【特許文献２】特開平０８−３１８０２１号  公報
【特許文献３】特開平０９−１０３５３５号  公報
【特許文献４】特開２００２−０９５７８５  公報
【特許文献５】特開２００４−２９８５９７  公報
【特許文献６】特開２００５−１４４１２７  公報
【発明の開示】
【発明が解決しようとする課題】
【０００４】
短詩や短文を主体とする日本古来の歌句などを競技として、競技者相互に関連付けされ
乍ら、同じ盤上で幾種類かの競作を可能にする方法（用具）や娯楽遊戯具を提供しようと
する事である。
此処で言う幾種類かとは、俳句（川柳）、短歌、甚句、施頭歌（酒折連歌）等の類や、
歌句種類は同じであっても形態の異なる（構成配列を複数個纏めた）物の類を言うのであ
るが、此所では特に仏足跡歌形式（５，７，５，７，７，７）を加えたものに就いての方
法や娯楽遊戯具（道具，用具または要具）を提供しようとする事である。
【課題を解決するための手段】
【０００５】
将棋，チェス，オセロ，囲碁等は夫々の升目や駒が異なるので、同一盤面で実行しよう
とすると多少の無理が生じるが、闘歌句の場合は文字駒を使用すると言う共通性が有り、
同じ文字駒が使えるので、上中下句などの区切り文字数で異なる歌句形式を、盤面の文字
枠配列の工夫によって、一般的に使用し易い寸法の同じ盤上で、幾種類かの歌句形式を構
成する事が可能である。此所では特に仏足跡歌を主体として、短歌、甚句，施頭歌形式（
または酒折連歌）などとの混成可能な形体を提供する。
【０００６】
上記目的の達成は、大略平坦な基盤（１）と、該基盤上に配列された任意所定形状の文
字枠（２）から成る文字枠群と、日本語全字母（平，片仮名・ローマ字等）を夫々に記し
た文字駒（３）から成る文字駒群、で構成される闘歌句創作遊戯盤に於いて、
（Ａ）  略直線状の辺枠列（４），翼枠列（５），中央枠列（６）から成り、該基盤の中
央部に辺枠列を対形（〓）で突き合わす様に四辺枠列で大略四角形を構成し，其の四角形
の略対角線上に角枠の一（コーナー）部分を構成する形で，内外側に張り出して四翼枠列
を配置、中央部分に―（又は｜）形に一中央枠列を配置した文字枠列群構成の配列形体（
及び形態）で、有効総文字枠数が５７〜５９個とし、
（Ｂ）  文字駒群として、
（ａ）  日本語字母（平，片仮名・ローマ字等）中の少なくとも４８個の異なる文字駒群
＋任意の９文字駒
（ｂ）  日本語字母（平，片仮名・ローマ字等）５１個＋任意の６文字駒（または空駒）
（ｃ）  日本語字母（平，片仮名・ローマ字等）５１個＋「う゛」＋任意の５文字駒（ま
たは空駒）
（ｄ）  日本語字母（平，片仮名・ローマ字等）５１個＋「う゛」＋一列（あ，い，う，
え，お、等）の５文字駒、
のいずれかを選択して仏足跡歌と仏足跡歌（５，７，５，７，７，７形式）を対向して競
技できる配列形体（及び形態）で構成される歌句創作用具あるいは闘歌句遊戯盤、に拠っ
て得られる。
【０００７】
また、大略平坦な基盤（１）と、該基盤上に配列された任意所定形状の文字枠（２）か
ら成る文字枠群と、日本語全字母（平，片仮名・ローマ字等）を記した文字駒（３）から
成る文字駒群、で構成される闘歌句創作遊戯盤に於いて、
（Ａ）略直線状の辺枠列（４），翼枠列（５），中央枠列（６）から成り、該基盤の中央
部に辺枠列を対形（〓）で突き合わす様に四辺枠列で大略四角形を構成し，其の四角形の
略対角線上に角枠の一（コーナー）部分を構成する形で，内外側に張出して四翼枠列を配
置、中央部分に―（又は｜）形に一中央句枠列を配置した文字枠列群構成の配列形体（及
び形態）で、有効総文字枠数が５１〜５９個とし、
（Ｂ）文字駒群として、日本語字母（平，片仮名・ローマ字等）５１個または該５１個＋
「う゛」（＝５２個）を選択し、仏足跡歌（５，７，５，７，７，７）と短歌（５，７，
５，７，７）、あるいは甚句と甚句（７，７，７，５）を、対向して競技できる配列形体
（及び形態）で構成される歌句創作用具あるいは闘歌句遊戯盤、
に拠っても得られる。
【０００８】
さらに、該同基盤上で、文字駒群として，全字母駒群から（ゐ≒い，ゑ≒え，お≒を、
と看做して）異なる音声の４５文字を選択し、短歌と短歌を個別に（および同時に酒折問
答歌（５，７，７）の夫々を）対向して競える構成を含む配列形体（及び形態）で構成さ
れる請求項２記載の歌句創作用具あるいは闘歌句遊戯盤で、仏足跡歌以外の歌句形式をも
活用できる。
【０００９】
具体的な歌句形式と総枠数，各競技者の歌句経路との組合せは下記の通りである。（図
１参照）
（仏足跡歌  Ａ：  仏足跡歌  Ｂ）    （Ａ，Ｂは逆でも良い）
総枠数５７  Ａ：《（ｐ）＝５，（ｑ）＝７，（ｒ）＝５；（ｓ）＝７，（t）＝７，
（ｕ）＝７  （ｑ，tで一枠重複詠み）》
Ｂ：《逆（ｒ），  逆（ｑ），  逆（ｐ）  ；（v）＝７，（ｗ）＝７，
（ｘ）＝７  （ｑ，ｗで一枠重複詠み）》
総枠数５９  Ａ：《（p）＝５，（ｑ）＝７，（ｒ）＝５；（ｓ）＝７，（t’）＝７，
（ｕ）＝７》
Ｂ：《逆（ｒ），  逆（ｑ），  逆（ｐ）；（ｖ）＝７，（ｗ’）＝７，
（ｘ）＝７》
（仏足跡歌  Ａ  ：  短歌  Ｂ）
総枠数５１  Ａ：《（ｐ）＝５，（ｑ）＝７，（ｒ）＝５；（ｓ）＝７，（t）＝７，
（ｕ）＝７  （ｑ，tで一枠重複詠み）》
Ｂ：《逆（ｒ），  逆（ｑ），  逆（ｐ）；  （ｖ）＝７，（ｘ）＝７》
総枠数５２  Ａ：《（ｐ）＝５，（ｑ）＝７，（ｒ）＝５；（ｓ）＝７，（ｔ’）＝７
，（ｕ）＝７》
Ｂ：《  逆（ｒ），逆（ｑ），逆（ｐ）；（ｖ）＝７，（ｘ）＝７  》
（甚句  Ａ：  甚句  Ｂ）    （Ａ，Ｂは逆でも良い）
総枠数５２  Ａ：《  （ｓ）＝７，（ｔ）＝７，（ｕ）＝７  ；  （ｐ）＝５  》  
Ｂ：《  （ｖ）＝７，（ｗ）＝７，（ｘ）＝７  ；  逆（ｒ）＝５  》
（短歌Ａ  ：  短歌  Ｂ）    （Ａ，Ｂは逆でも良い）
総枠数４５  Ａ：《（ｐ）＝５，（ｑ）＝７，（ｒ）＝５；（ｓ）＝７，（ｕ）＝７》
Ｂ：《  逆（ｒ），  逆（ｑ），  逆（ｐ）；（ｖ）＝７，（ｘ）＝７》
（酒折連歌  問Ａ’：答Ｂ’）  （Ａ’，Ｂ’は逆でも良い）  （他と同時進行が可能）
総枠数３８  Ａ’：《（ｕ）＋（ｐ）＋（ｖ）＝１９（５，７，７）》
Ｂ’：《（ｘ）＋（ｒ）＋（ｓ）＝１９（５，７，７）》
【発明の効果】
【００１０】
異なる字母のみ（あるいは「う゛＋５」文字）で作る仏足跡歌を、または異なる字母の
みで、仏足跡歌と短歌を創作できる道具または闘歌句盤を提供できる。
同時に甚句や施頭歌形式（酒折連歌）をも対向して競える闘歌句兼用創作形体を提供で
きる。
又、歌句形式の形態化や意匠化で文化的な継承に役立つものとなる期待も生じる。
【００１１】
古来からの各種歌句形式や同種異形態を必要に応じて、同じ盤上で選択できるので、個
別の闘歌句盤を準備するより経済的である。
仏足跡歌と仏足跡歌，仏足跡歌と短歌，甚句と甚句，酒折問答歌等を同時に複数形態で
競える物で、処理能力の向上，言語力を開発するのに役立つ。多種，多人数が参加できる
利点もある。
人意や感懐あるいは情景を、複数競技者相互に関与しつつ、俳句（川柳），短歌，甚句
，施頭歌（酒折連歌），仏足跡歌等に夫々別個の表現で競い合う事も可能な歌句創作娯楽
用具を提供することができる。該古式以外でも各自の好みの調子や韻律（自由詩）で競作
可能である。
【００１２】
文字駒として平板なカード（文字板）等を用いて、布地等の柔軟な棋布体から成る闘歌
句棋布盤にすれば持ち運びに容易で、方円卓風基盤にすれば内外で何処の土地柄にも適応
できる。
【発明を実施するための最良の形態】
【００１３】
競技者数を標準二人、歌句形式で仏足跡歌と仏足跡歌を競い創作可能な、総枠数５７お
よび５９の歌句経路の文字枠配列を有する闘歌句盤が、甚句、短歌、酒折問答歌（施頭歌
形式）も包含された形として、現段階では設定可能で最も多用途的である。
【実施例１】
【００１４】
図１（ａ）の実線図は基盤（１）が四角形の場合で、７個枠の辺枠列（４）と５個枠の
辺枠列（４’）を対で突き合わせる様に，中央部分で略四角形となる様にし、其の略四角
形の角部の一枠を構成する形で翼枠列（５）を略対角線上に外側に張り出して配置し、（
対）辺枠列（４）の中央部の（対）文字枠に整列される様に，５個枠の中央枠列（６）を
配置し構成した、総文字枠数が５７個の盤面である。
文字駒（３）は歌句経路に応じて此の文字枠上に布置される。
【００１５】
各競技者は盤の各辺部ＡとＢ（およびＡ’とＢ’）に位置し、着手順やそれぞれの歌句
形式を決めて各自の歌句経路上に文字駒を布置して行く。原則として禁じ手は無いものと
し、布置位置は順序良く（左右何れかの）詠み方向に沿つても良いが、使われ易い文字駒
などを先に確保して予定の位置に飛び（離れ）置いても構わない。
【００１６】
総文字枠数が５７個で仏足跡歌（５，７，５，７，７，７）を二人で競う場合、歌句経
路は
Ａ：《（ｐ）＝５，（ｑ）＝７，（ｒ）＝５；（ｓ）＝７，（t）＝７，（ｕ）＝７
（ｑ，tで一枠重複詠み）》
Ｂ：《逆（ｒ）＝５，逆（ｑ）＝７，逆（ｐ）＝５；（v）＝７，（ｗ）＝７，（ｘ）
＝７  （ｑ，ｗで一枠重複詠み）》
で、（対）辺枠列（４）の，中央枠列（６）と同じ整列線上の，二つの中央部の文字枠上
の文字駒は重ね詠みされる。此の時、文字駒群として
（１）日本語字母（平，片仮名・ローマ字等）中の少なくとも４８個の異なる文字駒群
＋任意の９文字駒
（２）日本語字母（平，片仮名・ローマ字等）５１個＋任意の６文字駒（又は空駒）
（３）日本語字母（平，片仮名・ローマ字等）５１個＋「う゛」＋任意の５文字駒（又
は空駒）
（４）日本語字母（平，片仮名・ローマ字等）５１個＋「う゛」＋一列（あ，い，う，
え，お、等）の５文字駒
のいずれかを選択すれば競える。異なる字母での短歌構成をも同時に創作しようとする時
は、競技者の内の一人丈が、任意（または指定、あるいは文字記入可能なカラ駒）の６文
字駒を、辺枠列（４）の中央枠列線列以外の重複しない辺枠箇所で使え（布置すれ）ば良
い。
【００１７】
甚句の時は、中央枠列を使用せずに総枠数５２、文字駒群として日本語字母（平，片仮
名・ローマ字等）５１個＋「う゛」＝５２個を使用して歌句経路は
Ａ：《  （ｓ）＝７，（ｔ）＝７，（ｕ）＝７  ；  （ｐ）＝５  》
Ｂ：《  （ｖ）＝７，（ｗ）＝７，（ｘ）＝７  ；逆（ｒ）＝５  》
とする事で創作できる。中央枠列丈を使用し正逆重複詠みすれば異なる４７文字駒でも創
作できる。
【００１８】
該同基盤上で、短歌を競う場合は、（対）辺枠列（４）の中央枠のみを使用し、歌句経路
は
Ａ：《（ｐ）＝５，（ｑ）＝７，（ｒ）＝５  ；  （ｓ）＝７，（ｕ）＝７》
Ｂ：《  逆（ｒ），  逆（ｑ），  逆（ｐ）  ；  （ｖ）＝７，（ｘ）＝７》
とし、文字駒群として全字母駒群から（ゐ≒い，ゑ≒え，お≒を、と看做して）異なる音
声の４５文字を選択して競える。短歌と短歌（Ａ：Ｂ）と同時に、酒折問答歌（Ａ’：Ｂ
’）も同時進行する事が可能である。此の場合の酒折連歌（施頭歌形式・５７７−５７７
）の歌句経路は
Ａ’：《（ｕ）＋（ｐ）＋（ｖ）＝１９（５，７，７）》
Ｂ’：《（ｘ）＋（ｒ）＋（ｓ）＝１９（５，７，７）》
で、Ａ’とＢ’の対向位置で、異字母文字４８個（異音４５個）の内から３８個の文字駒
を選択して競える。
酒折連歌単独の場合は、一人が先に問歌を創り，他が答歌を創る形でも良い。（残る７
〜１０文字駒で註釈唄とを創る様な楽しみ方もできる。）
【００１９】
競技人数は原則として二人だが、Ａ：仏足跡歌、Ｂ：短歌、Ａ’：酒折連歌（問）、Ｂ
’：酒折連歌（答）を個別に選択して四人で競う事も可能である。従って、各競技者の布
置位置によっては後順の競技者が先に排置完了となる場合も生じる。文字駒を一駒置く毎
に次ぎの競技者に布置順を回す事となる。景感道（初，中，上級）に応じて、パス（通過
）や制限時間や持ち時間を適宜取り決めて行っても差支え無い。例えば四人が異なる歌句
形式（短歌，仏足跡歌，施頭歌形式）を選択した場合は交互に並べる文字の位置を任意の
所に配置・排置・布置（配り並べ）することで、駒の多少による不釣合い（アンバランス
）を或る程度調整できる場合もある。
【００２０】
此の闘歌句盤では、全字母５１個を越える文字駒数を使用する事も有るので、付置文字
駒群には、
（ａ）  異字母文字駒４８の（同色または別色）の二組，または、異字母文字駒４８の一
組＋９空駒
（ｂ）  全字母文字駒５１の一組＋「う゛」文字駒＋５空駒，または、全字母文字駒５１
の一組＋６空駒
などの方策がある。空駒は文字の記入についての可否は問わ無い。余分に存っても良い。
文字駒群には，全字母あるいは異文字毎に色付け（分け）等をして置くと、全字母あるい
は異文字唄創作の主旨に沿ったより容易な扱い方（布置や排置）が出来る。また、感情表
現にアクセントを付けたり、より意味を明確にするために、感嘆符（！），疑問符（？）
，長音符（〜，ー等）を文字駒に加え使用する事も表現として有効であり、空駒（あるい
はスペァ）として使用する事も出来る。
【００２１】
盤面の文字枠は選択経路に応じて太細，色別など識別できる様にしたり、異なる形にす
ればより使い易い。又盤面の文字枠の全枠数に規制は無く、盤面全体を升目状態にしても
問題は無い。中央の四角形は其の辺が円弧風の形や意匠であっても機能的な支障は無い。
歌句経路に置いた文字駒が詠めれば、盤面に凹凸や傾斜があ存っても差支えは無い。
【００２２】
点線で示す歌句径路（ｔ’），（ｗ’）は、辺枠列（４）を外側に移動し，中央枠列（
６）を７個枠として、（対）辺枠列（４）の，中央枠列（６）と同じ整列線上の，二つの
中央部の文字枠上の文字駒の重複詠みを失くした場合の文字枠の配置である。（０００９
）の状態（条件）で上記に準じて競作ができる。
また太い点線で示す移動翼枠列（５’＿ｓｈｉｆｔ）は、盤外形寸法を小さく，文字枠
（文字駒）寸法を大きくする為に、内側に辷らし移動した配置例である。それぞれの基本
的な歌句径路は変わら無い。
【００２３】
図１（b）は側面図で碁，将棋盤風の形体にした場合で、或る程度の盤厚の盤面に盤脚
（８）を付けた形である。厚みや盤脚（支柱）形状，数には勿論制限は無い。機能的には
、固平板でも，布等の薄く柔軟平板（風呂敷状）であっても差支えなく、柔軟な方が他の
機能を兼用出来て良い場合もある。
また、歌句径路の周辺以外を刳り抜いたり、残文字駒を競技者に廻せる様に盤−脚−盤
−脚の重ねた構成であっても良い。刳り抜きや重ね空間部に残りの駒置き箱などが入る様
にしても良い。
【００２４】
図２（ａ）〜（ｇ）は文字駒の形態を示すもので、（ａ），（ｂ）は一文字のみ、（ｃ
），（ｄ），（ｆ）は同じ文字を逆向きに二文字、（ｅ）は同じ文字をほぼ１２０度の角
度で三文字、（ｇ）は同じ文字を９０度の角度で四文字を表記したものである。（ｂ），
（ｆ），（ｇ）は斜視図である。本闘歌句盤の場合には（ｃ），（ｄ），（ｆ）の二文字
，（ｇ）の四文字が表記された物が見易くて使い易いであろう。平板でも円錐，角錐，半
球や其の一部であっても、文字が識別できれば絵が加えられていてもトランプ風であって
も良い。闘歌句盤（文字枠部）と文字駒（底面接触部）が噛み合う（磁力で引き合う）形
態でも、掴み易い把手部分が付いた形態であっても良い。文字が其れと（できれば明確に
）認識できれば材質は任意である。
【産業上の利用可能性】
【００２５】
古来からの歌句を綜合的に（全字母，異文字または異音文字で）創作できる道具，用具
，要具あるいは娯楽遊戯具として、新規に造出され、且つ既存の製品にも，ソフトとして
も組込み可能なものであり、其の利用価値や規模は極めて大きい。言語や歌句の歴史的継
承にも意義あるものと期待される。
国語・漢語・他国語学習や習得機器としても使え、辞書類の整備（特に類語，漢和，定
着した外来語）にも課題を投げ懸け、解釈の揺らぎを利用した心理学分野への応用，活用
も可能である。
異国語での（夫々の国での）類似的応用物の開発も期待できる可能性をも秘めている。
【図面の簡単な説明】
【００２６】
【図１】大略四角形基盤の場合の盤面の平面図（上面図）および側面図である。    （ａ）基盤上の辺枠列，翼枠列，中央枠列の平面配置図（上面図）    （ｂ）基盤の側面図
【図２】文字駒の平面図（上面図）および斜視図である。    （ａ）一文字記載で平板文字駒の場合の平面図（上面図）    （ｂ）一文字記載で平板文字駒の場合の斜視図    （ｃ）二文字（仮名＆ローマ字）記載で平板（又は部分的球面）文字駒の場合の平面図（上面図）    （ｄ）二文字記載で平板（又は部分的球面）文字駒の場合の平面図（上面図）    （ｅ）三文字記載で平板（又は部分的球面）文字駒の場合の平面図（上面図）    （ｆ）二文字記載で円錐形文字駒の場合の斜視図    （ｇ）四文字記載で円錐形文字駒の場合の斜視図
【符号の説明】
【００２７】
１                                      基盤
２                                      文字枠
３                                      文字駒
４  ，４’                              辺枠列（７個枠および５個枠）
５  ，５’＿ｓｈｉｆｔ                  翼枠列および移動翼枠列
６  ，６’                              中央枠列（縦および横）
７                                      角枠（コーナー枠）
８                                      盤脚
Ａ，Ａ’，Ｂ，Ｂ’                      競技者の位置
（ｐ），（ｑ），（ｒ），（ｓ），（ｔ）  詠み取り経路
（ｕ），（ｖ），（ｗ），（ｘ）          詠み取り経路
（ｔ’），（ｗ’）                      別の詠み取り経路
【図１】
2007209423.tif 000003
【図２】
2007209423.tif 000004